(57)【特許請求の範囲】
【請求項１】
第１の無線通信システム、及び前記第１の無線通信システムとの接続よりも高い消費電力を必要とする第２の無線通信システムに接続可能な無線通信端末と、前記無線通信端末と無線通信を実行し、前記第１の無線通信システムの一部を構成する基地局とを含む通信システムであって、
前記第２の無線通信システムから前記第１の無線通信システムの基地局に対して、前記第２の無線通信システムから前記無線通信端末への着信に関する情報が通知される構成であり、
前記無線通信端末は、
前記基地局から送信されるビーコン信号に基づいて、前記基地局と第１無線信号を送受信し、前記第１の無線通信システムと接続する第１無線通信部と、
第２無線信号を送受信し、前記第２の無線通信システムと接続するとともに、発信元からの着信を受け付ける第２無線通信部と、
前記第１無線通信部及び前記第２無線通信部の動作を制御する動作制御部と、を備え、
前記動作制御部は、
前記第１無線通信部を用いて前記第１の無線通信システムと接続された場合、前記第２無線信号を送受信可能な通常状態よりも消費電力が抑制される電力抑制状態に前記第２無線通信部を設定し、
前記第１の無線通信システムとの接続後において、前記第１無線通信部を介して前記ビーコン信号が受信できるか否かを監視し、
所定の時間に渡って前記ビーコン信号が受信できない場合、前記第２無線通信部を前記電力抑制状態から前記通常状態に復帰させ、
前記基地局は、前記第２の無線通信システムから前記無線通信端末への着信を検出した場合、前記ビーコン信号の送信を停止するビーコン信号制御部を備える通信システム。
【請求項２】
前記第１の無線通信システムと前記第２の無線通信システムとの間に設置されるゲートウェイをさらに含み、
前記基地局は、前記ゲートウェイとの間に設定される通信路が前記ゲートウェイによって開放された場合、前記ビーコン信号の送信を停止する請求項１に記載の通信システム。
【請求項３】
第１の無線通信システム、及び前記第１の無線通信システムとの接続よりも高い消費電力を必要とする第２の無線通信システムに接続可能な無線通信端末と、前記無線通信端末と無線通信を実行し、前記第１の無線通信システムの一部を構成する基地局とを用いた通信方法であって、
前記第２の無線通信システムから前記第１の無線通信システムの基地局に対して、前記第２の無線通信システムから前記無線通信端末への着信に関する情報が通知される構成であり、
前記無線通信端末は、
前記基地局から送信されるビーコン信号に基づいて、前記基地局と第１無線信号を送受信し、前記第１の無線通信システムと接続する第１無線通信部と、
第２無線信号を送受信し、前記第２の無線通信システムと接続するとともに、発信元からの着信を受け付ける第２無線通信部と、
前記第１無線通信部及び前記第２無線通信部の動作を制御する動作制御部と、を備え、
前記無線通信端末が、前記第１無線通信部を用いて前記第１の無線通信システムと接続された場合、前記第２無線信号を送受信可能な通常状態よりも消費電力が抑制される電力抑制状態に前記第２無線通信部を設定するステップと、
前記無線通信端末が、前記第１の無線通信システムとの接続後において、前記第１無線通信部を介して前記ビーコン信号が受信できるか否かを監視するステップと、
前記基地局が、前記第２の無線通信システムから前記無線通信端末への着信を検出した場合、前記ビーコン信号の送信を停止するステップと、
所定の時間に渡って前記ビーコン信号が受信できない場合、前記第２無線通信部を前記電力抑制状態から前記通常状態に復帰させるステップと、
を備える通信方法。
【請求項４】
前記無線通信端末が、前記第１無線通信部を用いて前記第１の無線通信システムと接続された場合、前記基地局が、前記第１の無線通信システムと前記第２の無線通信システムとの間に設置されるゲートウェイとの通信路を設定するステップをさらに備え、
前記ビーコン信号の送信を停止するステップでは、前記基地局と前記ゲートウェイとの間に設定された前記通信路が前記ゲートウェイによって開放された場合、前記ビーコン信号の送信を停止する請求項３に記載の通信方法。
【請求項５】
第１の無線通信システム、及び前記第１の無線通信システムとの接続よりも高い消費電力を必要とする第２の無線通信システムに接続可能な無線通信端末であって、
前記第１の無線通信システムの一部を構成する基地局から送信されるビーコン信号に基づいて、前記基地局と第１無線信号を送受信し、前記第１の無線通信システムと接続する第１無線通信部と、
第２無線信号を送受信し、前記第２の無線通信システムと接続するとともに、発信元からの着信を受け付ける第２無線通信部と、
前記第１無線通信部及び前記第２無線通信部の動作を制御する動作制御部と、を備え、
前記動作制御部は、
前記第１無線通信部を用いて前記第１の無線通信システムと接続された場合、前記第２無線信号を送受信可能な通常状態よりも消費電力が抑制される電力抑制状態に前記第２無線通信部を設定し、
前記第１の無線通信システムとの接続後において、前記第１無線通信部を介して前記ビーコン信号が受信できるか否かを監視し、
所定の時間に渡って前記ビーコン信号が受信できない場合、前記第２無線通信部を前記電力抑制状態から前記通常状態に復帰させる無線通信端末。
【請求項６】
第１の無線通信システム、及び前記第１の無線通信システムとの接続よりも高い消費電力を必要とする第２の無線通信システムに接続可能な無線通信端末と無線通信を実行し、前記第１の無線通信システムの一部を構成する基地局であって、
前記第２の無線通信システムから前記基地局に対して、前記第２の無線通信システムから前記無線通信端末への着信に関する情報が通知される構成であり、
前記第２の無線通信システムから前記無線通信端末への着信を検出した場合、前記ビーコン信号の送信を停止するビーコン信号制御部を備える基地局。
【請求項７】
前記第１の無線通信システムと前記第２の無線通信システムとの間に設置されるゲートウェイと前記基地局との間には、通信路が設定され、
前記ビーコン信号制御部は、前記通信路が前記ゲートウェイによって開放された場合、前記ビーコン信号の送信を停止する請求項６に記載の基地局。
【請求項８】
前記第１の無線通信システムにおいて前記無線通信端末に割り当てられる第１端末アドレスと、前記第２の無線通信システムにおいて前記無線通信端末に割り当てられる第２端末アドレスとの組合せを保持するとともに、前記基地局に割り当てられる自局アドレスと前記第２端末アドレスとの組合せを前記第２の無線通信システムに含まれる前記無線通信端末の位置管理装置に通知する通知部を備える請求項６または７に記載の基地局。
【請求項９】
前記無線通信端末に付与されているＭＡＣアドレスに基づいて前記無線通信端末が前記第２の無線通信システムに接続可能であるか否かを判定する端末判定部を備え、
前記通知部は、前記端末判定部によって、前記無線通信端末が前記第２の無線通信システムに接続可能であると判定された場合のみ、前記自局アドレスと前記第２端末アドレスとの組合せを前記位置管理装置に通知する請求項８に記載の基地局。
【発明の詳細な説明】
【技術分野】
【０００１】
本発明は、複数の無線通信システムに接続可能な無線通信端末を含む通信システム、通信方法、及び当該通信システムにおいて用いられる無線通信端末と基地局とに関する。
【背景技術】
【０００２】
近年、IEEE802.11gなどの高速な無線ＬＡＮシステム（第１の無線通信システム）の普及に伴って、通信サービスのユーザが在宅しているときなど、一定の要件を満たす場合、宅内などに設置された無線ＬＡＮシステムの基地局（WLAN ＡＰ）を介した無線ＬＡＮシステムへの接続、或いは携帯電話システム（第２の無線通信システム）への接続の何れか選択する無線通信端末が提供されている（例えば、特許文献１）。
【０００３】
具体的には、無線通信端末は、常に両システムに接続可能な状態を維持することによる消費電力を抑制するため、公衆電話網に加入する発信元から携帯電話システム（具体的には、Personal Handyphone System）を経由して無線通信端末への着信があった場合のみ、無線ＬＡＮシステムとの接続に用いられる無線通信部を起動する。無線通信端末は、無線ＬＡＮシステムに接続できた場合、当該着信を切断し、無線ＬＡＮシステムを経由して当該発信元を呼び返す。
【０００４】
無線通信端末がこのように動作することによって、無線ＬＡＮシステムを経由して提供される安価なＶｏＩＰ通信サービスを効率よく利用できる。
【特許文献１】特開２００４−５１５９８６号公報（第１４−１６頁、第５−６図）
【発明の開示】
【発明が解決しようとする課題】
【０００５】
上述した従来の無線通信端末は、常に両システムに接続可能な状態を維持することによる消費電力を抑制するため、通常時、つまり、無線通信端末への非着信時には、無線ＬＡＮシステムとの接続に用いられる無線通信部への電源供給が停止される。
【０００６】
ここで、消費電力を効率的に抑制する観点からは、無線ＬＡＮシステムとの接続に用いられる無線通信部よりも、一般的に無線ＬＡＮシステムよりも高い送信電力を必要とする携帯電話システムとの接続に用いられる無線通信部への電源供給を停止することが好ましい。
【０００７】
しかしながら、無線ＬＡＮシステムでは、公衆電話網に加入する発信元から無線ＬＡＮシステムを経由して上述したような無線通信端末に着信させる機能（プロトコル）が提供されていない。このため、公衆電話網に加入する発信元からの着信を確実に処理するためには、携帯電話システムとの接続に用いられる無線通信部への電源供給を停止することができない問題があった。
【０００８】
そこで、本発明は、このような状況に鑑みてなされたものであり、無線ＬＡＮシステム及び携帯電話システムなど、複数の無線通信システムに接続可能な場合において、公衆電話網に加入する発信元から無線通信端末への着信を確実に処理しつつ、無線通信端末の消費電力をさらに抑制できる通信システム、通信方法、及び当該通信システムにおいて用いられる無線通信端末と基地局とを提供することを目的とする。
【課題を解決するための手段】
【０００９】
上述した問題を解決するため、本発明は、次のような特徴を有している。まず、本発明の第１の特徴は、第１の無線通信システム（ＷＬＡＮシステム5）、及び前記第１の無線通信システムとの接続よりも高い消費電力を必要とする第２の無線通信システム（携帯電話システム10）に接続可能な無線通信端末（無線通信端末1）と、前記無線通信端末と無線通信を実行し、前記第１の無線通信システムの一部を構成する基地局（ＷＬＡＮＡＰ20）とを含む通信システム（通信システム2）であって、前記第２の無線通信システムから前記第１の無線通信システムの基地局に対して、前記第２の無線通信システムから前記無線通信端末への着信に関する情報が通知される構成であり、前記無線通信端末は、前記基地局から送信されるビーコン信号に基づいて、前記基地局と第１無線信号（無線信号S1）を送受信し、前記第１の無線通信システムと接続する第１無線通信部（ＷＬＡＮ用ＲＦ処理部100）と、第２無線信号（無線信号S2）を送受信し、前記第２の無線通信システムと接続するとともに、発信元（通信端末3）からの着信を受け付ける第２無線通信部（携帯電話用ＲＦ処理部101）と、前記第１無線通信部及び前記第２無線通信部の動作を制御する動作制御部（制御部102）と、を備え、前記動作制御部は、前記第１無線通信部を用いて前記第１の無線通信システムと接続された場合、前記第２無線信号を送受信可能な通常状態よりも消費電力が抑制される電力抑制状態に前記第２無線通信部を設定し、前記第１の無線通信システムとの接続後において、前記第１無線通信部を介して前記ビーコン信号が受信できるか否かを監視し、所定の時間（Twlst）に渡って前記ビーコン信号が受信できない場合、前記第２無線通信部を前記電力抑制状態から前記通常状態に復帰させ、前記基地局は、前記第２の無線通信システムから前記無線通信端末への着信を検出した場合、前記ビーコン信号の送信を停止するビーコン信号制御部（制御部201）を備えることを要旨とする。
【００１０】
このような通信システムによれば、無線通信端末が第１の無線通信システムと接続された場合、第２無線通信部は、第２無線信号を送受信可能な通常状態よりも消費電力が抑制される電力抑制状態に設定される。このため、第１の無線通信システムとの接続よりも高い消費電力を必要とする第２の無線通信システムとの接続に用いられる第２無線通信部の消費電力が抑制される。つまり、無線通信端末の消費電力を効果的に抑制できる。
【００１１】
また、このような通信システムによれば、無線通信端末は、第１の無線通信システムとの接続後においても、ビーコン信号が受信できるか否かを監視し、所定の時間に渡ってビーコン信号が受信できない場合、第２無線通信部を電力抑制状態から通常状態に復帰させる。このため、無線通信端末の消費電力を抑制しつつ、発信元からの着信を確実に受け付けることができる。
【００１２】
本発明の第２の特徴は、本発明の第１の特徴に係り、前記第１の無線通信システムと前記第２の無線通信システムとの間に設置されるゲートウェイ（ＡＰＧＷ15）をさらに含み、前記基地局は、前記ゲートウェイとの間に設定される通信路が前記ゲートウェイによって開放された場合、前記ビーコン信号の送信を停止することを要旨とする。
【００１３】
本発明の第３の特徴は、第１の無線通信システム、及び前記第１の無線通信システムとの接続よりも高い消費電力を必要とする第２の無線通信システムに接続可能な無線通信端末と、前記無線通信端末と無線通信を実行し、前記第１の無線通信システムの一部を構成する基地局とを用いた通信方法であって、前記第２の無線通信システムから前記第１の無線通信システムの基地局に対して、前記第２の無線通信システムから前記無線通信端末への着信に関する情報が通知される構成であり、前記無線通信端末は、前記基地局から送信されるビーコン信号に基づいて、前記基地局と第１無線信号を送受信し、前記第１の無線通信システムと接続する第１無線通信部と、第２無線信号を送受信し、前記第２の無線通信システムと接続するとともに、発信元からの着信を受け付ける第２無線通信部と、前記第１無線通信部及び前記第２無線通信部の動作を制御する動作制御部と、を備え、前記無線通信端末が、前記第１無線通信部を用いて前記第１の無線通信システムと接続された場合、前記第２無線信号を送受信可能な通常状態よりも消費電力が抑制される電力抑制状態に前記第２無線通信部を設定するステップと、前記無線通信端末が、前記第１の無線通信システムとの接続後において、前記第１無線通信部を介して前記ビーコン信号が受信できるか否かを監視するステップと、前記基地局が、前記第２の無線通信システムから前記無線通信端末への着信を検出した場合、前記ビーコン信号の送信を停止するステップと、所定の時間に渡って前記ビーコン信号が受信できない場合、前記第２無線通信部を前記電力抑制状態から前記通常状態に復帰させるステップと、を備えることを要旨とする。
【００１４】
本発明の第４の特徴は、本発明の第３の特徴に係り、前記無線通信端末が、前記第１無線通信部を用いて前記第１の無線通信システムと接続された場合、前記基地局が、前記第１の無線通信システムと前記第２の無線通信システムとの間に設置されるゲートウェイと通信路を設定するステップをさらに備え、前記ビーコン信号の送信を停止するステップでは、前記基地局と前記ゲートウェイとの間に設定された前記通信路が前記ゲートウェイによって開放された場合、前記ビーコン信号の送信を停止することを要旨とする。
【００１５】
本発明の第５の特徴は、第１の無線通信システム、及び前記第１の無線通信システムとの接続よりも高い消費電力を必要とする第２の無線通信システムに接続可能な無線通信端末であって、前記第１の無線通信システムの一部を構成する基地局から送信されるビーコン信号に基づいて、前記基地局と第１無線信号を送受信し、前記第１の無線通信システムと接続する第１無線通信部と、第２無線信号を送受信し、前記第２の無線通信システムと接続するとともに、発信元からの着信を受け付ける第２無線通信部と、前記第１無線通信部及び前記第２無線通信部の動作を制御する動作制御部とを備え、前記動作制御部は、前記第１無線通信部を用いて前記第１の無線通信システムと接続された場合、前記第２無線信号を送受信可能な通常状態よりも消費電力が抑制される電力抑制状態に前記第２無線通信部を設定し、前記第１の無線通信システムとの接続後において、前記第１無線通信部を介して前記ビーコン信号が受信できるか否かを監視し、所定の時間に渡って前記ビーコン信号が受信できない場合、前記第２無線通信部を前記電力抑制状態から前記通常状態に復帰させることを要旨とする。
【００１６】
本発明の第６の特徴は、第１の無線通信システム、及び前記第１の無線通信システムとの接続よりも高い消費電力を必要とする第２の無線通信システムに接続可能な無線通信端末と無線通信を実行し、前記第１の無線通信システムの一部を構成する基地局であって、前記第２の無線通信システムから前記基地局に対して、前記第２の無線通信システムから前記無線通信端末への着信に関する情報が通知される構成であり、前記第２の無線通信システムから前記無線通信端末への着信を検出した場合、前記ビーコン信号の送信を停止するビーコン信号制御部を備えることを要旨とする。
【００１７】
本発明の第７の特徴は、本発明の第６の特徴に係り、前記第１の無線通信システムと前記第２の無線通信システムとの間に設置されるゲートウェイ（ＡＰＧＷ15）と前記基地局との間には、通信路が設定され、前記ビーコン信号制御部は、前記通信路が前記ゲートウェイによって開放された場合、前記ビーコン信号の送信を停止することを要旨とする。
【００１８】
本発明の第８の特徴は、本発明の第６または第７の特徴に係り、前記第１の無線通信システムにおいて前記無線通信端末に割り当てられる第１端末アドレス（例えば、192.168.0.30）と、前記第２の無線通信システムにおいて前記無線通信端末に割り当てられる第２端末アドレス（例えば、71.28.61.152）との組合せを保持するとともに、前記基地局に割り当てられる自局アドレス（192.168.0.1）と前記第２端末アドレスとの組合せを前記第２の無線通信システムに含まれる前記無線通信端末の位置管理装置（ＨＬＲ13）に通知する通知部（制御部201及び外部I/F202）を備えることを要旨とする。
【００１９】
本発明の第９の特徴は、本発明の第８の特徴に係り、前記無線通信端末に付与されているＭＡＣアドレスに基づいて前記無線通信端末が前記第２の無線通信システムに接続可能であるか否かを判定する端末判定部（制御部201）を備え、前記通知部は、前記端末判定部によって、前記無線通信端末が前記第２の無線通信システムに接続可能であると判定された場合のみ、前記自局アドレスと前記第２端末アドレスとの組合せを前記位置管理装置に通知することを要旨とする。
【発明の効果】
【００２０】
本発明の特徴によれば、無線ＬＡＮシステム及び携帯電話システムなど、複数の無線通信システムに接続可能な場合において、公衆電話網に加入する発信元から無線通信端末への着信を確実に処理しつつ、無線通信端末の消費電力をさらに抑制できる通信システム、通信方法、及び当該通信システムにおいて用いられる無線通信端末と基地局とを提供することができる。
【発明を実施するための最良の形態】
【００２１】
次に、本発明の実施形態について説明する。具体的には、（１）通信システムの全体概略構成、（２）通信システムの機能ブロック構成、（３）通信システムの動作、（４）作用・効果、及び（５）その他の実施形態について説明する。
【００２２】
なお、以下の図面の記載において、同一または類似の部分には、同一または類似の符号を付している。ただし、図面は模式的なものであり、各寸法の比率などは現実のものとは異なることに留意すべきである。
【００２３】
したがって、具体的な寸法などは以下の説明を参酌して判断すべきものである。また、図面相互間においても互いの寸法の関係や比率が異なる部分が含まれていることは勿論である。
【００２４】
（１）通信システムの全体概略構成
図１は、本実施形態に係る通信システム2の全体概略構成図である。図１に示すように、通信システム2は、ＷＬＡＮシステム5及び携帯電話システム10を含む。
【００２５】
無線ＬＡＮ（ＷＬＡＮ）システム5は、IEEE802.11gなどの規格に準拠した無線通信システムである。本実施形態において、ＷＬＡＮシステム5は、第１の無線通信システムを構成する。
【００２６】
携帯電話システム10は、cdma2000 1xEV-DOに準拠した無線通信システムである。本実施形態において、携帯電話システム10は、第２の無線通信システムを構成する。
【００２７】
無線通信端末1は、ＷＬＡＮシステム5及び携帯電話システム10に接続することができる。無線通信端末1は、ＷＬＡＮシステム5の一部を構成するＷＬＡＮ ＡＰ20と無線信号S1を送受信する。本実施形態において、ＷＬＡＮ ＡＰ20は、基地局を構成する。また、無線通信端末1は、携帯電話システム10の一部を構成する携帯電話基地局11と無線信号S2を送受信する。
【００２８】
ＷＬＡＮ ＡＰ20は、ＷＬＡＮサービスエリア50を形成する。ＷＬＡＮ ＡＰ20は、無線通信端末1のユーザ宅内などに設置される。ＷＬＡＮ ＡＰ20は、広帯域なアクセス回線を介して、無線ＬＡＮサービスの提供事業者であるサービスプロバイダ30と接続される。なお、サービスプロバイダ30には、無線ＬＡＮサービスの提供事業者が設置する通信装置（ルータなど）が含まれる。
【００２９】
無線通信端末1は、サービスプロバイダ30及びインターネット53を介してインターネット53上に存在するコンテンツ31（例えば、動画データ）を取得できる。本実施形態では、ＷＬＡＮ ＡＰ20及びサービスプロバイダ30によってＷＬＡＮシステム5が構成される。
【００３０】
一方、携帯電話基地局11は、携帯電話サービスエリア51を形成する。携帯電話基地局11は、無線通信端末1のユーザ宅の近傍に設置される。携帯電話基地局11は、専用の通信回線を介して、携帯電話網52と接続される。
【００３１】
携帯電話網52には、呼制御を行うＰＣＦ12、無線通信端末1の現在位置を管理するＨＬＲ13、及びＩＰ機能を提供するＰＤＳＮ14が接続される。ＰＣＦ12、ＨＬＲ13及びＰＤＳＮ14は、携帯電話システム10に含まれる。また、本実施形態において、ＨＬＲ13は、位置管理装置を構成する。ＨＬＲ13は、無線通信端末1の移動先にかかわらず無線通信端末1に対して着信（呼び出し）ができるように無線通信端末1の現在位置を管理する。
【００３２】
携帯電話網52は、通信端末3（例えば、一般加入電話）が接続可能な公衆電話網（不図示）と相互接続される。また、携帯電話網52には、インターネット53から携帯電話網52への接続、及び携帯電話網52からインターネット53への接続を提供するＡＰＧＷ15が設けられる。本実施形態において、ＡＰＧＷ15は、ゲートウェイを構成する。
【００３３】
本実施形態では、無線通信端末1が携帯電話基地局11との接続に用いられる携帯電話用ＲＦ処理部101（図１において不図示、図２参照）への電源供給が停止されている状態において、通信端末3（発信元）が無線通信端末1を呼び出した場合、無線通信端末1への着信を示す情報がＷＬＡＮシステム5を介して無線通信端末1に通知される。
【００３４】
（２）通信システムの機能ブロック構成
次に、通信システム2の機能ブロック構成について説明する。具体的には、無線通信端末1及びＷＬＡＮ ＡＰ20の機能ブロック構成について説明する。
【００３５】
（２．１）無線通信端末
図２は、無線通信端末1の機能ブロック構成図である。図２に示すように、無線通信端末1は、ＷＬＡＮ用ＲＦ処理部100、携帯電話用ＲＦ処理部101、制御部102、電源管理部103及び端末識別情報記憶部104を備える。なお、以下、本発明との関連がある部分について主に説明する。したがって、無線通信端末1及びＷＬＡＮＡＰ20は、当該装置としての機能を実現する上で必須な、図示しない或いは説明を省略した機能ブロック（電源部など）を備える場合があることに留意されたい。
【００３６】
ＷＬＡＮ用ＲＦ処理部100は、ＷＬＡＮＡＰ20から送信されるビーコン信号に基づいて、ＷＬＡＮＡＰ20と無線信号S1を送受信し、ＷＬＡＮシステム5と接続する。本実施形態において、ＷＬＡＮ用ＲＦ処理部100は、第１無線通信部を構成する。
【００３７】
携帯電話用ＲＦ処理部101は、携帯電話基地局11と無線信号S2を送受信し、携帯電話システム10と接続する。また、携帯電話用ＲＦ処理部101は、通信端末3（発信元）から携帯電話網52及び携帯電話基地局11を経由した呼の着信を受け付ける。本実施形態において、携帯電話用ＲＦ処理部101は、第２無線通信部を構成する。
【００３８】
携帯電話用ＲＦ処理部101は、ＷＬＡＮ用ＲＦ処理部100よりも一般的に高い消費電力を必要とする。つまり、携帯電話システム10との接続には、ＷＬＡＮシステム5との接続よりも高い消費電力を必要とする。
【００３９】
制御部102は、ＷＬＡＮ用ＲＦ処理部100及び携帯電話用ＲＦ処理部101の動作を制御する。本実施形態において、制御部102は、動作制御部を構成する。
【００４０】
電源管理部103は、ＷＬＡＮ用ＲＦ処理部100及び携帯電話用ＲＦ処理部101に供給される電源を管理する。具体的には、電源管理部103は、制御部102による制御に基づいて、ＷＬＡＮ用ＲＦ処理部100及び携帯電話用ＲＦ処理部101に供給される電源のオン／オフを実行する。
【００４１】
特に、本実施形態では、制御部102は、ＷＬＡＮ用ＲＦ処理部100を用いてＷＬＡＮシステム5（具体的には、ＷＬＡＮ ＡＰ20）と接続された場合、無線信号S2を送受信可能な通常状態よりも消費電力が抑制される電力抑制状態に携帯電話用ＲＦ処理部101を設定する。具体的には、制御部102は、ＷＬＡＮ用ＲＦ処理部100を用いてＷＬＡＮシステム5と接続された場合、携帯電話用ＲＦ処理部101に供給される電源をオン状態（通常状態）からオフ状態（電力抑制状態）に切り替える。
【００４２】
また、制御部102は、ＷＬＡＮシステム5との接続後において、ＷＬＡＮ用ＲＦ処理部100を介してビーコン信号が受信できるか否かを監視する。制御部102は、所定の時間に渡ってビーコン信号が受信できない場合、携帯電話用ＲＦ処理部101に供給される電源をオフ状態からオン状態に復帰させる。
【００４３】
端末識別情報記憶部104は、ＷＬＡＮシステム5及び携帯電話システム10との接続の際に利用される情報を記憶する。端末識別情報記憶部104には、無線通信端末1のユーザが書き換え可能な一般データ105と、通信事業者や製造メーカなどのみが書き換え可能な保護データ106がある。
【００４４】
また、無線通信端末1は、ユーザインターフェースとして、液晶ディスプレイなどによって構成される表示部107、キーバッドなどによって構成される入力部108、マイク109及びスピーカー110を備える。
【００４５】
（２．２）基地局
図３は、本実施形態において基地局を構成するＷＬＡＮＡＰ20の機能ブロック構成図である。図３に示すように、ＷＬＡＮ ＡＰ20は、ＷＬＡＮ用ＲＦ処理部200、制御部201、外部I/F202及び接続情報ＤＢ203を備える。
【００４６】
ＷＬＡＮ用ＲＦ処理部200は、無線通信端末1と無線信号S1を送受信し、無線通信端末1をＷＬＡＮシステム5と接続させる。
【００４７】
また、ＷＬＡＮ用ＲＦ処理部200は、ＷＬＡＮサービスエリア50に向けてビーコン信号を送信する。ビーコン信号には、無線通信端末1がＷＬＡＮ ＡＰ20との接続を開始する際に必要となる接続情報（例えば、SSID）などが含まれる。
【００４８】
制御部201は、ＷＬＡＮ用ＲＦ処理部200及び外部I/F202の動作を制御する。特に、本実施形態では、制御部201は、携帯電話システム10から無線通信端末1への着信を検出した場合、ビーコン信号の送信を停止する。本実施形態において、制御部201は、ビーコン信号制御部を構成する。具体的には、制御部201は、ＡＰＧＷ15との間に設定された論理的な通信路がＡＰＧＷ15によって開放された場合、ビーコン信号の送信を停止する。
【００４９】
また、制御部201は、無線通信端末1に付与されているＭＡＣアドレス、具体的には、ＷＬＡＮ用ＲＦ処理部100に付与されているＭＡＣアドレスに基づいて、無線通信端末1が携帯電話システム10に接続可能であるか否かを判定することができる。本実施形態において、制御部201は、端末判定部を構成する。
【００５０】
なお、無線通信端末1が携帯電話システム10に接続可能か否かの判定には、無線通信端末1に付与されているＭＡＣアドレスのみを用いるのではなく、当該ＭＡＣアドレスにＩＤやパスワードなどを組み合わせ、これらすべての情報を用いてもよい。
【００５１】
また、制御部201は、ＷＬＡＮシステム5において無線通信端末1に割り当てられるＩＰアドレスと、携帯電話システム10において無線通信端末1に割り当てられる第２端末アドレスとの組合せ（例えば、192.168.0.30と71.28.61.152）を保持する。
【００５２】
外部I/F202は、サービスプロバイダ30側、つまり、インターネット53側との通信を実行するためのインターフェースを提供する。特に、本実施形態では、外部I/F202は、制御部201による制御に基づいて、自局アドレス、つまり、ＷＬＡＮ ＡＰ20のＩＰアドレスと、携帯電話システム10において無線通信端末1に割り当てられるＩＰアドレス（第２端末アドレス）との組合せ（例えば、192.168.0.1と71.28.61.152）をＨＬＲ13に通知する。本実施形態では、制御部201と外部I/F202とによって、通知部が構成される。
【００５３】
具体的には、外部I/F202は、制御部201によって、無線通信端末1が携帯電話システム10に接続可能であると判定された場合、当該ＩＰアドレスの組合せをＨＬＲ13に通知する。
【００５４】
接続情報ＤＢ203は、ＷＬＡＮＡＰ20に接続される無線通信端末の制御に用いられる情報によって構成される。具体的には、接続情報ＤＢ203は、一般端末用ＤＢ204及び保護端末用ＤＢ205によって構成される。一般端末用ＤＢ204に記述されている端末情報は、ユーザによって任意で設定することができる。一方、保護端末用ＤＢ205に記述されている端末情報は、ユーザが自由に書き換えることができない。
【００５５】
（３）通信システムの動作
次に、上述した通信システム2の動作について説明する。具体的には、以下の４つのケースにおける通信シーケンスについて説明する。
・動作例１：  無線通信端末1がＷＬＡＮサービスエリア50外、かつ携帯電話サービスエリア51内に位置する場合
・動作例２：  無線通信端末1がＷＬＡＮサービスエリア50内、かつ携帯電話サービスエリア51内に移動した場合
・動作例３：  無線通信端末1がＷＬＡＮサービスエリア50外、かつ携帯電話サービスエリア51内に移動した場合
・動作例４：  無線通信端末1がＷＬＡＮサービスエリア50内、かつ携帯電話サービスエリア51内に存在しているときに、無線通信端末1への着信があった場合
【００５６】
（３．１）動作例１
図４は、無線通信端末1がＷＬＡＮサービスエリア50外、かつ携帯電話サービスエリア51内に位置する場合における通信シーケンスを示す。
【００５７】
図４に示すように、ステップＳ１０において、ＷＬＡＮ ＡＰ20は、サービスプロバイダ30との間においてＩＰアドレスなどの設定を実行することによって、ＩＰレベルでの通信が実行可能な環境を確立する。
【００５８】
ＷＬＡＮ ＡＰ20は、ＩＰレベルでの通信が実行可能な環境を確立後、一定間隔でビーコン信号を送信する。ビーコン信号は、ＷＬＡＮ ＡＰ20との接続を開始する際に必要となる接続情報や、無線通信端末1への着信通知が含まれる。本実施形態では、ビーコン信号は、無線通信端末1が最初にＷＬＡＮＡＰ20を発見するため、及び携帯電話用ＲＦ処理部101への電源供給を停止した電力抑制状態の際に必要な情報となる。一方、無線通信端末1が一旦ＷＬＡＮシステム5との接続が完了した後においては、ビーコン信号は必須な情報ではない。つまり、携帯電話用ＲＦ処理部101への電源供給を停止しない通常の無線通信端末は、ＷＬＡＮシステム5との接続が完了した後においてはビーコン信号を利用しない。
【００５９】
ステップＳ２０において、無線通信端末1は、ＷＬＡＮＡＰ20から送信されるビーコン信号を取得する。具体的には、無線通信端末1は、電源投入後、ＷＬＡＮサービスエリア50或いは携帯電話サービスエリア51をサーチするため、ＷＬＡＮ用ＲＦ処理部100及び携帯電話用ＲＦ処理部101を動作させ、一定間隔で無線信号S1及び無線信号S2をサーチする。
【００６０】
（３．２）動作例２
図５は、無線通信端末1がＷＬＡＮサービスエリア50内、かつ携帯電話サービスエリア51内に移動した場合における通信シーケンスを示す。
【００６１】
図５に示すように、無線通信端末1は、ＷＬＡＮＡＰ20が送信するビーコン信号を取得すると、プローブ要求を送信し、ＷＬＡＮ ＡＰ20に対して接続を要求する。
【００６２】
ステップＳ１１０において、ＷＬＡＮ ＡＰ20は、無線通信端末1から受信したプローブ要求に対してプローブ応答を無線通信端末1に送信し、接続処理を開始する。
【００６３】
ステップＳ１２０において、ＷＬＡＮ ＡＰ20は、プローブ要求に含まれる情報と、接続情報ＤＢ203に記憶されている端末情報とを照合し、接続を要求した無線通信端末1が通常の無線通信端末か、携帯電話システム10に接続できる特別な無線通信端末（ＨＯＭＥ端末）であるか否かを判定する。
【００６４】
また、ＷＬＡＮ ＡＰ20は、ＨＯＭＥ端末からの接続の要求であると判定した場合、携帯電話網52までの通信路が正常か否かを判定する。ＷＬＡＮ ＡＰ20は、携帯電話網52までの通信路が正常でないと判定した場合、携帯電話システム10との接続が提供できないため、ＨＯＭＥ端末であってもＷＬＡＮシステム5のみの接続を提供する。
【００６５】
一方、無線通信端末1は、ＷＬＡＮＡＰ20からプローブ応答を受信すると、ＷＬＡＮシステム5の接続認証を実行する。具体的には、無線通信端末1は、ＷＬＡＮ ＡＰ20が送信するビーコン信号の内容に基づいて、ＷＬＡＮ ＡＰ20が携帯電話システム10に接続可能なＷＬＡＮＡＰ（ＨＯＭＥ ＡＰ）か、一般のＷＬＡＮ ＡＰかを判定する。
【００６６】
無線通信端末1は、ＷＬＡＮＡＰ20をＨＯＭＥＡＰと判定した場合、端末識別情報記憶部104の保護データ106を用いて接続認証を実行する。無線通信端末1は、当該接続認証に失敗した場合、またはＷＬＡＮ ＡＰ20をＨＯＭＥ ＡＰではないと判定した場合、端末識別情報記憶部104の一般データ105を用いて接続認証を実行する。
【００６７】
また、ＷＬＡＮ ＡＰ20は、ＨＯＭＥ端末からの接続であって、携帯電話網52までの通信路が正常な場合、保護端末用ＤＢ205を用いて無線通信端末1（ＨＯＭＥ端末）の接続認証を実行する。一方、ＷＬＡＮ ＡＰ20は、このような条件以外の場合、一般端末用ＤＢ204を用いて無線通信端末との接続認証を実行する。
【００６８】
ステップＳ１３０において、無線通信端末1及びＷＬＡＮＡＰ20は、ＷＬＡＮのプロトコルに従った物理層の設定を確立する。
【００６９】
ステップＳ１４０において、ＷＬＡＮ ＡＰ20は、ＷＬＡＮのプロトコルに従った物理層の設定を確立することによって、無線通信端末1（ＨＯＭＥ端末）からの通信要求の待ち受け処理を完了する。
【００７０】
ステップＳ１５０において、ＷＬＡＮ ＡＰ20は、携帯電話網52との接続のインターフェースとなるＡＰＧＷ15との通信路を確立する。なお、当該通信路は、ＳＳＬ（Secure Sockets Layer）によって暗号化される。
【００７１】
ステップＳ１６０において、ＷＬＡＮ ＡＰ20は、携帯電話システム10において用いられる無線通信端末用のネットワークアドレスを取得する。
【００７２】
ＡＰＧＷ15は、ＷＬＡＮＡＰ20との通信路が確立すると、無線通信端末1の現在位置を管理するＨＬＲ13に、無線通信端末1（ＨＯＭＥ端末）がＷＬＡＮ ＡＰ20を介して発信元（例えば、通信端末3）からの着信を待ち受けていることを通知する。ＨＬＲ13は、当該通知に基づいて無線通信端末1の位置情報を更新する。
【００７３】
また、ＷＬＡＮ ＡＰ20は、無線通信端末1の接続認証が完了すると、無線通信端末1に対してＩＰアドレスを割り当てる。具体的には、ＷＬＡＮ ＡＰ20は、無線通信端末1から送信されたＩＰ取得要求（DHCP Discover）に応答し、ＷＬＡＮ ＡＰ20の内部でプールされているＩＰアドレス（192.168.0.10〜192.168.0.50）、つまり、ローカルＩＰアドレス（第１端末アドレス）を無線通信端末1に割り当てる。ここでは、無線通信端末1のローカルＩＰアドレスとして192.168.0.30が割り当てられるものとする。
【００７４】
ステップＳ１７０において、無線通信端末1及びＷＬＡＮＡＰ20は、ＷＬＡＮのプロトコルに従ったＩＰ層の設定を確立する。
【００７５】
ステップＳ１８０において、ＷＬＡＮ ＡＰ20は、無線通信端末1に割り当てられたローカルＩＰアドレス（192.168.0.30）と、携帯電話システム10から取得し、無線通信端末1に割り当てられたＩＰアドレス（第２端末アドレス）とを１対１で対応付けて管理する。ここでは、携帯電話システム10から取得し、無線通信端末1に割り当てられたＩＰアドレスを71.28.61.152とする。
【００７６】
また、ＷＬＡＮ ＡＰ20は、自局アドレス（192.168.0.1）と、携帯電話システム10において無線通信端末1に割り当てられたＩＰアドレス（71.28.61.152）との組合せをＨＬＲ13に通知する。ＨＬＲ13は、ＷＬＡＮ ＡＰ20から通知されたＷＬＡＮ ＡＰ20のＩＰアドレスと、携帯電話システム10において無線通信端末1に割り当てられたＩＰアドレスとの組合せ（192.168.0.1と71.28.61.152）を保持する。
【００７７】
無線通信端末1は、ＷＬＡＮＡＰ20（ＨＯＭＥＡＰ）との接続認証に成功し、ローカルＩＰアドレス（192.168.0.30）を取得すると、消費電力を抑制するため、携帯電話用ＲＦ処理部101への電源供給を停止する。具体的には、無線通信端末1は、携帯電話用ＲＦ処理部101（EVDO）をドーマント状態から電源オフ状態に切り替える。
【００７８】
（３．３）動作例３
図６は、無線通信端末1がＷＬＡＮサービスエリア50外、かつ携帯電話サービスエリア51内に移動した場合における通信シーケンスを示す。
【００７９】
図６に示すように、無線通信端末1は、ＷＬＡＮＡＰ20を介して発信元から携帯電話システム10を介した着信を待ち受けている場合、データを送受信していない期間においては、ＷＬＡＮ ＡＰ20が送信する無線信号S1の常時受信は実行せず、ビーコン信号のみを受信する。無線通信端末1は、ＷＬＡＮＡＰ20によって送信されるビーコン信号を受信することによって、ＷＬＡＮ ＡＰ20が形成するＷＬＡＮサービスエリア50内に無線通信端末1が存在するか否かを判定する。
【００８０】
ステップＳ２２０において、無線通信端末1は、ＷＬＡＮＡＰ20（ＨＯＭＥＡＰ）が送信するビーコン信号を所定の時間（Twlst）受信しなかったか否かを判定する。
【００８１】
ステップＳ２３０において、無線通信端末1は、当該ビーコン信号を一定期間（Twlst）受信しなかった場合、電源オフ状態に設定されていた携帯電話用ＲＦ処理部101（EVDO）への電源供給を再開する。この結果、携帯電話用ＲＦ処理部101は、ドーマント状態となる。
【００８２】
（３．４）動作例４
図７は、無線通信端末1がＷＬＡＮサービスエリア50内、かつ携帯電話サービスエリア51内に存在しているときに、無線通信端末1への着信があった場合における通信シーケンスを示す。
【００８３】
図７に示すように、無線通信端末1がＷＬＡＮサービスエリア50内において発信元からの着信を待ち受けている間に、無線通信端末1向けのパケット（データ）が送信されてきた場合、ＰＤＳＮ14は、ＰＣＦ12に対して無線通信端末1までの通信路の確保を要求する。
【００８４】
ＰＣＦ12は、当該要求に基づいて、無線通信端末1の現在位置をＨＬＲ13に問い合わせる。ＨＬＲ13は、無線通信端末1の現在位置を示す情報をＰＣＦ12に通知する。ここでは、ＨＬＲ13は、携帯電話システム10において無線通信端末1に割り当てられたＩＰアドレス（71.28.61.152）をＷＬＡＮ ＡＰ20のＩＰアドレス（192.168.0.1）と組み合わせて保持しているため、無線通信端末1は、ＷＬＡＮ ＡＰ20に接続中である旨を示す情報をＰＣＦ12に通知する。
【００８５】
ＰＣＦ12は、無線通信端末1がＷＬＡＮＡＰ20、つまり、ＨＯＭＥＡＰに接続中であることを確認すると、ＡＰＧＷ15に対して、ＷＬＡＮシステム5を介した通信の中断要求（WLAN Interrupt Request）を送信し、一定時間(Tevwake)の待機する。
【００８６】
ＰＣＦ12は、Tevwakeの経過後、再びＨＬＲ13に無線通信端末1の現在位置を問い合わせ、ＨＬＲ13から通知される情報に基づいて、該当する携帯電話基地局（例えば、携帯電話基地局11）に無線通信端末1の呼び出しを指示する。
【００８７】
ステップＳ３１０において、ＡＰＧＷ15は、ＰＣＦ12から受信した中断要求に基づいて、ＷＬＡＮ ＡＰ20と設定された通信路を開放し、当該通信路を開放したことをＨＬＲ13に通知する。
【００８８】
ＨＬＲ13は、ＡＰＧＷ15からの当該通知に基づいて、携帯電話システム10において無線通信端末1に割り当てられたＩＰアドレス（71.28.61.152）と、ＷＬＡＮ ＡＰ20のＩＰアドレス（192.168.0.1）との組合せを解除する。
【００８９】
ステップＳ３２０において、ＷＬＡＮ ＡＰ20は、ＡＰＧＷ15と設定された通信路が開放されると、無線通信端末1との通信に必要な情報（ローカルＩＰアドレス及び携帯電話システム10において無線通信端末1に割り当てられたＩＰアドレス）を開放する。さらに、ＷＬＡＮ ＡＰ20は、所定の時間（Twinterval）に渡ってビーコン信号の送信を停止する。
【００９０】
ステップＳ３３０において、無線通信端末1は、ＷＬＡＮＡＰ20（ＨＯＭＥＡＰ）が送信するビーコン信号を所定の時間（Twlst）受信しなくなったか否かを判定する。
【００９１】
ステップＳ３４０において、無線通信端末1は、当該ビーコン信号を一定期間（Twlst）受信しなくなった場合、上述したステップＳ２３０と同様に、電源オフ状態に設定されていた携帯電話用ＲＦ処理部101（EVDO）への電源供給を再開する。この結果、携帯電話用ＲＦ処理部101は、ドーマント状態となる。
【００９２】
ここで、携帯電話基地局11は、無線通信端末1への呼び出しを実行しているため、携帯電話用ＲＦ処理部101がドーマント状態になると、当該呼び出しに反応する。
【００９３】
ステップＳ３５０において、無線通信端末1は、携帯電話基地局11からの呼び出しに基づいて、携帯電話基地局11と通信路を確立し、発信元（例えば、通信端末3）との通信を開始する。
【００９４】
（４）作用・効果
通信システム2によれば、無線通信端末1がＷＬＡＮシステム5と接続された場合、携帯電話用ＲＦ処理部101は、無線信号S2を送受信可能な通常状態よりも消費電力が抑制される電力抑制状態に設定される。このため、ＷＬＡＮシステム5との接続よりも高い消費電力を必要とする携帯電話システム10との接続に用いられる携帯電話用ＲＦ処理部101の消費電力が抑制される。つまり、無線通信端末1の消費電力を効果的に抑制できる。
【００９５】
また、通信システム2によれば、無線通信端末1は、ＷＬＡＮシステム5との接続後においても、ＷＬＡＮ ＡＰ20からのビーコン信号が受信できるか否かを監視し、所定の時間（Twlst）に渡ってビーコン信号が受信できない場合、携帯電話用ＲＦ処理部101を電力抑制状態から通常状態に復帰させる。このため、無線通信端末1の消費電力を抑制しつつ、発信元（例えば、通信端末3）からの着信を確実に受け付けることができる。
【００９６】
本実施形態では、ＷＬＡＮ ＡＰ20の制御部201は、ＡＰＧＷ15との通信路がＡＰＧＷ15によって開放された場合、ビーコン信号の送信を停止する。このため、ＡＰＧＷ15とＷＬＡＮ ＡＰ20との間において送受信される新たなメッセージを規定することなく、ＷＬＡＮ ＡＰ20からのビーコン信号の送信を停止させることができる。
【００９７】
本実施形態では、ＷＬＡＮシステム5において無線通信端末1が接続するＷＬＡＮ ＡＰ20のＩＰアドレス（192.168.0.1）と、携帯電話システム10において無線通信端末1に割り当てられるＩＰアドレス（71.28.61.152）との組合せが、ＷＬＡＮ ＡＰ20からＨＬＲ13に通知される。このため、携帯電話システム10を介した発信元から無線通信端末1への着信を、ＷＬＡＮシステム5を介しつつ確実に無線通信端末1に伝えることができる。
【００９８】
さらに、本実施形態では、無線通信端末1に付与されているＭＡＣアドレスに基づいて無線通信端末1が携帯電話システム10に接続可能であると判定された場合のみ、当該ＩＰアドレスの組合せがＨＬＲ13に通知される。このため、無駄なトラフィックやＨＬＲ13におけるＩＰアドレスの登録に係る処理負荷を抑制できる。
【００９９】
本実施形態では、ＰＣＦ12は、Tevwakeの経過後、ＨＬＲ13から通知された情報に基づいて、携帯電話基地局11に無線通信端末1の呼び出しを指示する。このため、無線通信端末1の携帯電話用ＲＦ処理部101が電源オフ状態からドーマント状態に確実に復帰した後に無線通信端末1を呼び出すことができる。
【０１００】
（５）その他の実施形態
上述したように、本発明の一実施形態を通じて本発明の内容を開示したが、この開示の一部をなす論述及び図面は、本発明を限定するものであると理解すべきではない。この開示から当業者には様々な代替実施の形態が明らかとなろう。
【０１０１】
例えば、上述した実施形態では、ＷＬＡＮ用ＲＦ処理部100を用いてＷＬＡＮシステム5と接続された場合、携帯電話用ＲＦ処理部101への電源供給が停止されていたが、必ずしも携帯電話用ＲＦ処理部101への電源供給を停止しなくても構わない。例えば、通常の待ち受け状態よりも消費電力の少ない状態に携帯電話用ＲＦ処理部101を移行するようにしてもよい。
【０１０２】
上述した実施形態では、IEEE802.11gなどの規格に準拠した無線通信システムと、cdma2000 1xEV-DOに準拠した無線通信システムとを例として説明したが、本発明は、このような無線通信システムに限定して適用されるものではない。それぞれのシステムに対応する無線通信端末のＲＦ処理部の消費電力に差があり、消費電力が少ないＲＦ処理部と無線通信を実行する基地局（ＡＰ）からビーコン信号が定期的に送信されている場合、本発明を適用することができる。
【０１０３】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【図面の簡単な説明】
【０１０４】
【図１】本発明の実施形態に係る通信システム2の全体概略構成図である。
【図２】本発明の実施形態に係る無線通信端末1の機能ブロック構成図である。
【図３】本発明の実施形態に係るＷＬＡＮ ＡＰ20の機能ブロック構成図である。
【図４】本発明の実施形態に係る無線通信端末1がＷＬＡＮサービスエリア50外、かつ携帯電話サービスエリア51内に位置する場合における通信シーケンスを示す図である。
【図５】本発明の実施形態に係る無線通信端末1がＷＬＡＮサービスエリア50内、かつ携帯電話サービスエリア51内に移動した場合における通信シーケンスを示す図である。
【図６】本発明の実施形態に係る無線通信端末1がＷＬＡＮサービスエリア50外、かつ携帯電話サービスエリア51内に移動した場合における通信シーケンスを示す図である。
【図７】本発明の実施形態に係る無線通信端末1がＷＬＡＮサービスエリア50内、かつ携帯電話サービスエリア51内に存在しているときに、無線通信端末1への着信があった場合における通信シーケンスを示す図である。
【符号の説明】
【０１０５】
1…無線通信端末、2…通信システム、3…通信端末、5…ＷＬＡＮシステム、10…携帯電話システム、11…携帯電話基地局、12…ＰＣＦ、13…ＨＬＲ、14…ＰＤＳＮ、15…ＡＰＧＷ、20…ＷＬＡＮＡＰ、30…サービスプロバイダ、31…コンテンツ、50…ＷＬＡＮサービスエリア、51…携帯電話サービスエリア、52…携帯電話網、53…インターネット、100…ＷＬＡＮ用ＲＦ処理部、101…携帯電話用ＲＦ処理部、102…制御部、103…電源管理部、104…端末識別情報記憶部、105…一般データ、106…保護データ、107…表示部、108…入力部、109…マイク、110…スピーカー、200…ＷＬＡＮ用ＲＦ処理部、201…制御部、202…外部I/F、203…接続情報ＤＢ、204…一般端末用ＤＢ、205…保護端末用ＤＢ、S1，S2…無線信号
【図１】
0005112161.tif 000002
【図２】
0005112161.tif 000003
【図３】
0005112161.tif 000004
【図４】
0005112161.tif 000005
【図５】
0005112161.tif 000006
【図６】
0005112161.tif 000007
【図７】
0005112161.tif 000008